(57)【要約】【課題】適切な信号劣化の補償を行うことができるようになるとともに、省電力化を図ることができる伝送装置を提供する。【解決手段】送信装置は、フレームに誤り訂正符号を付加する訂正用情報付加手段と、誤り訂正符号が付加されたフレームに対して伝送路の状態を示す情報を含めた送信すべき信号を出力するモニタ用信号付加手段とを備え、受信装置は、受信した信号から伝送路の状態を示す情報を抽出することにより伝送路の状態を検知する信号モニタ手段と、伝送路の状態を検知した結果に基づき、伝送路の状態を示す情報を除いた信号に対して、信号劣化補償または信号訂正を行う機能ブロックを選択して動作させるとともに、未使用の機能ブロックに対する電源供給を制御する使用ブロック切替手段と、信号劣化補償及び信号訂正を行った後の信号からクライアント信号を復元するデマッピング手段と、復元したクライアント信号を出力する信号送信手段とを備える。【選択図】図１
2016032206.tif 000002
【特許請求の範囲】
【請求項１】
伝送路を介して信号を送信する送信装置と、前記伝送路を介して前記信号を受信して出力する受信装置とを備える伝送装置であって、
前記送信装置は、
クライアント信号を受信する信号受信手段と、
前記クライアント信号をフレームに収容するマッピング手段と、
前記フレームに誤り訂正符号を付加する訂正用情報付加手段と、
前記誤り訂正符号が付加されたフレームに対して前記伝送路の状態を示す情報を含めた送信すべき信号を出力するモニタ用信号付加手段と、
前記送信すべき信号を前記伝送路に送信するライン信号送信手段とを備え、
前記受信装置は、
前記伝送路からの信号を受信するライン信号受信手段と、
受信した信号から前記伝送路の状態を示す情報を抽出することにより前記伝送路の状態を検知する信号モニタ手段と、
前記伝送路の状態を検知した結果に基づき、前記伝送路の状態を示す情報を除いた信号に対して、信号劣化補償または信号訂正を行う機能ブロックを選択して動作させるとともに、未使用の前記機能ブロックに対する電源供給を制御する使用ブロック切替手段と、
信号劣化補償及び信号訂正を行った後の信号から前記クライアント信号を復元するデマッピング手段と、
復元した前記クライアント信号を出力する信号送信手段とを備える
ことを特徴とする伝送装置。
【請求項２】
伝送路を介して信号を送信する送信装置と、前記伝送路を介して前記信号を受信して出力する受信装置とを備える伝送装置であって、
前記送信装置は、
クライアント信号を受信する信号受信手段と、
前記クライアント信号をフレームに収容するマッピング手段と、
前記受信装置から前記伝送路の状態を検知した結果の情報を受信し、前記伝送路の状態を検知した結果の情報に基づき、前記フレームに対して、誤り訂正符号を付加するまたは信号劣化補償を行う機能ブロックを選択して動作させるとともに、未使用の前記機能ブロックに対する電源供給を制御する使用ブロック切替手段と、
前記フレームに対して前記伝送路の状態を示す情報を含めた送信すべき信号を出力するモニタ用信号付加手段と、
前記送信すべき信号を前記伝送路に送信するライン信号送信手段とを備え、
前記受信装置は、
前記伝送路からの信号を受信するライン信号受信手段と、
受信した信号から前記伝送路の状態を示す情報を抽出することにより前記伝送路の状態を検知して、前記伝送路の状態を検知した結果の情報を送信する信号モニタ手段と、
受信した信号に対して信号訂正を行う誤り訂正手段と、
前記信号訂正を行った後の信号から前記クライアント信号を復元するデマッピング手段と、
復元した前記クライアント信号を出力する信号送信手段とを備える
ことを特徴とする伝送装置。
【請求項３】
伝送路を介して信号を送信する送信装置と、前記伝送路を介して前記信号を受信して出力する受信装置とを備える伝送装置であって、
前記送信装置は、
クライアント信号を受信する信号受信手段と、
前記クライアント信号をフレームに収容するマッピング手段と、
前記受信装置から前記伝送路の状態を検知した結果の情報を受信し、前記伝送路の状態を検知した結果の情報に基づき、前記フレームに対して、誤り訂正符号を付加するまたは信号劣化補償を行う機能ブロックを選択して動作させるとともに、未使用の前記機能ブロックに対する電源供給を制御する使用ブロック切替手段と、
前記フレームに対して前記伝送路の状態を示す情報を含めた送信すべき信号を出力するモニタ用信号付加手段と、
前記送信すべき信号を前記伝送路に送信するライン信号送信手段とを備え、
前記受信装置は、
前記伝送路からの信号を受信するライン信号受信手段と、
受信した信号から前記伝送路の状態を示す情報を抽出することにより前記伝送路の状態を検知して、前記伝送路の状態を検知した結果の情報を送信する信号モニタ手段と、
前記伝送路の状態を検知した結果に基づき、前記伝送路の状態を示す情報を除いた信号に対して、信号劣化補償または信号訂正を行う機能ブロックを選択して動作させるとともに、未使用の前記機能ブロックに対する電源供給を制御する使用ブロック切替手段と、
信号劣化補償及び信号訂正を行った後の信号から前記クライアント信号を復元するデマッピング手段と、
復元した前記クライアント信号を出力する信号送信手段とを備える
ことを特徴とする伝送装置。
【請求項４】
前記モニタ用信号付加手段は、前記伝送路の状態を示す情報を含める際に、前記フレーム外に付加することを特徴とする請求項１から３のいずれか１項に記載の伝送装置。
【請求項５】
前記機能ブロックとして、信号劣化補償を行う信号劣化補償手段のみ、または信号訂正を行う信号訂正手段のみ備えたことを特徴とする請求項１から４のいずれか１項に記載の伝送装置。
【請求項６】
伝送路を介して信号を送信する送信装置と、前記伝送路を介して前記信号を受信して出力する受信装置とを備える伝送装置が行う伝送方法であって、
クライアント信号を受信する信号受信ステップと、
前記クライアント信号をフレームに収容するマッピングステップと、
前記フレームに誤り訂正符号を付加する訂正用情報付加ステップと、
前記誤り訂正符号が付加されたフレームに対して前記伝送路の状態を示す情報を含めた送信すべき信号を出力するモニタ用信号付加ステップと、
前記送信すべき信号を前記伝送路に送信するライン信号送信ステップと、
前記伝送路からの信号を受信するライン信号受信ステップと、
受信した信号から前記伝送路の状態を示す情報を抽出することにより前記伝送路の状態を検知する信号モニタステップと、
前記伝送路の状態を検知した結果に基づき、前記伝送路の状態を示す情報を除いた信号に対して、信号劣化補償または信号訂正を行う機能ブロックを選択して動作させるとともに、未使用の前記機能ブロックに対する電源供給を制御する使用ブロック切替ステップと、
信号劣化補償及び信号訂正を行った後の信号から前記クライアント信号を復元するデマッピングステップと、
復元した前記クライアント信号を出力する信号送信ステップと
を有することを特徴とする伝送方法。
【請求項７】
伝送路を介して信号を送信する送信装置と、前記伝送路を介して前記信号を受信して出力する受信装置とを備える伝送装置が行う伝送方法であって、
クライアント信号を受信する信号受信ステップと、
前記クライアント信号をフレームに収容するマッピングステップと、
前記受信装置から前記伝送路の状態を検知した結果の情報を受信し、前記伝送路の状態を検知した結果の情報に基づき、前記フレームに対して、誤り訂正符号を付加するまたは信号劣化補償を行う機能ブロックを選択して動作させるとともに、未使用の前記機能ブロックに対する電源供給を制御する使用ブロック切替ステップと、
前記フレームに対して前記伝送路の状態を示す情報を含めた送信すべき信号を出力するモニタ用信号付加ステップと、
前記送信すべき信号を前記伝送路に送信するライン信号送信ステップと、
前記伝送路からの信号を受信するライン信号受信ステップと、
受信した信号から前記伝送路の状態を示す情報を抽出することにより前記伝送路の状態を検知して、前記伝送路の状態を検知した結果の情報を送信する信号モニタステップと、
受信した信号に対して信号訂正を行う誤り訂正ステップと、
前記信号訂正を行った後の信号から前記クライアント信号を復元するデマッピングステップと、
復元した前記クライアント信号を出力する信号送信ステップと
を有することを特徴とする伝送方法。
【請求項８】
伝送路を介して信号を送信する送信装置と、前記伝送路を介して前記信号を受信して出力する受信装置とを備える伝送装置が行う伝送方法であって、
クライアント信号を受信する信号受信ステップと、
前記クライアント信号をフレームに収容するマッピングステップと、
前記受信装置から前記伝送路の状態を検知した結果の情報を受信し、前記伝送路の状態を検知した結果の情報に基づき、前記フレームに対して、誤り訂正符号を付加するまたは信号劣化補償を行う機能ブロックを選択して動作させるとともに、未使用の前記機能ブロックに対する電源供給を制御する使用ブロック切替ステップと、
前記フレームに対して前記伝送路の状態を示す情報を含めた送信すべき信号を出力するモニタ用信号付加ステップと、
前記送信すべき信号を前記伝送路に送信するライン信号送信ステップと、
前記伝送路からの信号を受信するライン信号受信ステップと、
受信した信号から前記伝送路の状態を示す情報を抽出することにより前記伝送路の状態を検知して、前記伝送路の状態を検知した結果の情報を送信する信号モニタステップと、
前記伝送路の状態を検知した結果に基づき、前記伝送路の状態を示す情報を除いた信号に対して、信号劣化補償または信号訂正を行う機能ブロックを選択して動作させるとともに、未使用の前記機能ブロックに対する電源供給を制御する使用ブロック切替ステップと、
信号劣化補償及び信号訂正を行った後の信号から前記クライアント信号を復元するデマッピングステップと、
復元した前記クライアント信号を出力する信号送信ステップと
を有することを特徴とする伝送方法。
【発明の詳細な説明】
【技術分野】
【０００１】
本発明は、適応デジタル信号処理を用いた伝送装置及び伝送方法に関する。
【背景技術】
【０００２】
クラウドサービス、高速モバイルアクセスやスマートフォン端末の普及が進み、通信トラヒックの増大が続いている。増大が進むトラヒックを効率的に転送するために、１００Ｇ伝送装置の開発が行われている。１００Ｇ伝送装置では、送信側の装置に入力した１００ＧＥクライアント信号を、ＯＴＵ４（Optical-channel Transport Unit 4；例えば、非特許文献１参照）に収容し、その後、信号等化処理等を行うデジタル信号処理を行う。デジタル信号処理の後に、電気／光変換を行い、伝送路を経由して、受信側の装置に送信する。
【０００３】
受信側の装置では、伝送路で歪みを受けた信号の補償等をデジタル信号処理で行い、ＯＴＵ４信号を復元する。その後、ＯＴＵ４信号からクライアント信号を復元し、伝送装置から出力する。受信側のデジタル信号処理では、送信側で転送する信号に付加されたトレーニング信号を元に、伝送路の累積分散値等を補償する。累積分散値を補償する機能ブロックは、最大の累積分散を補償するための機能ブロックを具備している。
【０００４】
また、経路切替や温度変化等による伝送路状態の変化に対し、信号劣化補償のために使用する機能ブロックの設定は、オペレータが手動操作によって行っている。
【０００５】
ここで、従来技術による１００Ｇ伝送装置の構成を説明する。図２１は、従来技術による１００Ｇ伝送装置の構成を示すブロック図である。図２１において、送信装置１は、クライアント信号を符号化して伝送路３を介して、受信装置２へ送信する。受信装置２は、伝送路３を介して符号化されたクライアント信号を受信し、復号してクライアント信号を復元して出力する。
【０００６】
信号受信部１０１は、クライアント信号を受信する。マッピング部１０２は、クライアント信号をフレームに収容する。ＦＥＣ（Forward Error Correction）エンコード部１０３は、前方誤り訂正符号化を行う。トレーニング信号付加部１０４は、符号化された信号に既知の信号を付加する。ライン信号送信部１０５は、信号を伝送路３に送信する。
【０００７】
ライン信号受信部２０１は、伝送路３からの信号を受信する。波長分散補償部２０２は、波長分散を補償する。ＰＭＤ（偏波モード分散）補償部２０３は、偏波モード分散を補償する。ＦＥＣデコード部２０４は、符号化された信号を復号する。デマッピング部２０５は、フレームの信号からクライアント信号を復元する。信号送信部２０６は、復元したクライアント信号を送信する。波長分散補償部２０２、ＰＭＤ補償部２０３、ＦＥＣデコード部２０４は使用ブロック群Ｂを構成しており、この使用ブロック群Ｂが実際に使用されて信号処理が行われる。
【先行技術文献】
【非特許文献】
【０００８】
【非特許文献１】ITU-T Recommendation G.709/Y.1331,”Interfaces for the Optical Transport Network (OTN)”
【発明の概要】
【発明が解決しようとする課題】
【０００９】
前述したように、従来技術による伝送装置にあっては、最大の累積波長分散値や偏波モード分散（ＰＭＤ）による信号劣化や、または伝送による信号誤りを補償するために波長分散補償部２０２、ＰＭＤ補償部２０３、ＦＥＣデコード部２０４を備えていた。
【００１０】
しかしながら、実際の伝送路３では、累積波長分散値や偏波モード分散値による劣化、または信号誤りは、常に最大値とはなっておらず、従来の伝送装置では過剰な補償を行っていた。このため、伝送装置に供給する電力は、最大の信号劣化を補償する分だけ必要になるという問題がある。また、信号劣化補償について、使用ブロック群Ｂをオペレータが手動操作によって設定する場合であっても、過剰な補償を行ってしまうという問題もある。
【００１１】
本発明は、このような事情に鑑みてなされたもので、適切な信号劣化の補償を行うことができるようになるとともに、省電力化を図ることができる伝送装置及び伝送方法を提供することを目的とする。
【課題を解決するための手段】
【００１２】
本発明は、伝送路を介して信号を送信する送信装置と、前記伝送路を介して前記信号を受信して出力する受信装置とを備える伝送装置であって、前記送信装置は、クライアント信号を受信する信号受信手段と、前記クライアント信号をフレームに収容するマッピング手段と、前記フレームに誤り訂正符号を付加する訂正用情報付加手段と、前記誤り訂正符号が付加されたフレームに対して前記伝送路の状態を示す情報を含めた送信すべき信号を出力するモニタ用信号付加手段と、前記送信すべき信号を前記伝送路に送信するライン信号送信手段とを備え、前記受信装置は、前記伝送路からの信号を受信するライン信号受信手段と、受信した信号から前記伝送路の状態を示す情報を抽出することにより前記伝送路の状態を検知する信号モニタ手段と、前記伝送路の状態を検知した結果に基づき、前記伝送路の状態を示す情報を除いた信号に対して、信号劣化補償または信号訂正を行う機能ブロックを選択して動作させるとともに、未使用の前記機能ブロックに対する電源供給を制御する使用ブロック切替手段と、信号劣化補償及び信号訂正を行った後の信号から前記クライアント信号を復元するデマッピング手段と、復元した前記クライアント信号を出力する信号送信手段とを備えることを特徴とする。
【００１３】
本発明は、伝送路を介して信号を送信する送信装置と、前記伝送路を介して前記信号を受信して出力する受信装置とを備える伝送装置であって、前記送信装置は、クライアント信号を受信する信号受信手段と、前記クライアント信号をフレームに収容するマッピング手段と、前記受信装置から前記伝送路の状態を検知した結果の情報を受信し、前記伝送路の状態を検知した結果の情報に基づき、前記フレームに対して、誤り訂正符号を付加するまたは信号劣化補償を行う機能ブロックを選択して動作させるとともに、未使用の前記機能ブロックに対する電源供給を制御する使用ブロック切替手段と、前記フレームに対して前記伝送路の状態を示す情報を含めた送信すべき信号を出力するモニタ用信号付加手段と、前記送信すべき信号を前記伝送路に送信するライン信号送信手段とを備え、前記受信装置は、前記伝送路からの信号を受信するライン信号受信手段と、受信した信号から前記伝送路の状態を示す情報を抽出することにより前記伝送路の状態を検知して、前記伝送路の状態を検知した結果の情報を送信する信号モニタ手段と、受信した信号に対して信号訂正を行う誤り訂正手段と、前記信号訂正を行った後の信号から前記クライアント信号を復元するデマッピング手段と、復元した前記クライアント信号を出力する信号送信手段とを備えることを特徴とする。
【００１４】
本発明は、伝送路を介して信号を送信する送信装置と、前記伝送路を介して前記信号を受信して出力する受信装置とを備える伝送装置であって、前記送信装置は、クライアント信号を受信する信号受信手段と、前記クライアント信号をフレームに収容するマッピング手段と、前記受信装置から前記伝送路の状態を検知した結果の情報を受信し、前記伝送路の状態を検知した結果の情報に基づき、前記フレームに対して、誤り訂正符号を付加するまたは信号劣化補償を行う機能ブロックを選択して動作させるとともに、未使用の前記機能ブロックに対する電源供給を制御する使用ブロック切替手段と、前記フレームに対して前記伝送路の状態を示す情報を含めた送信すべき信号を出力するモニタ用信号付加手段と、前記送信すべき信号を前記伝送路に送信するライン信号送信手段とを備え、前記受信装置は、前記伝送路からの信号を受信するライン信号受信手段と、受信した信号から前記伝送路の状態を示す情報を抽出することにより前記伝送路の状態を検知して、前記伝送路の状態を検知した結果の情報を送信する信号モニタ手段と、前記伝送路の状態を検知した結果に基づき、前記伝送路の状態を示す情報を除いた信号に対して、信号劣化補償または信号訂正を行う機能ブロックを選択して動作させるとともに、未使用の前記機能ブロックに対する電源供給を制御する使用ブロック切替手段と、信号劣化補償及び信号訂正を行った後の信号から前記クライアント信号を復元するデマッピング手段と、復元した前記クライアント信号を出力する信号送信手段とを備えることを特徴とする。
【００１５】
本発明は、前記モニタ用信号付加手段は、前記伝送路の状態を示す情報を含める際に、前記フレーム外に付加することを特徴とする。
【００１６】
本発明は、前記機能ブロックとして、信号劣化補償を行う信号劣化補償手段のみ、または信号訂正を行う信号訂正手段のみ備えたことを特徴とする。
【００１７】
本発明は、伝送路を介して信号を送信する送信装置と、前記伝送路を介して前記信号を受信して出力する受信装置とを備える伝送装置が行う伝送方法であって、クライアント信号を受信する信号受信ステップと、前記クライアント信号をフレームに収容するマッピングステップと、前記フレームに誤り訂正符号を付加する訂正用情報付加ステップと、前記誤り訂正符号が付加されたフレームに対して前記伝送路の状態を示す情報を含めた送信すべき信号を出力するモニタ用信号付加ステップと、前記送信すべき信号を前記伝送路に送信するライン信号送信ステップと、前記伝送路からの信号を受信するライン信号受信ステップと、受信した信号から前記伝送路の状態を示す情報を抽出することにより前記伝送路の状態を検知する信号モニタステップと、前記伝送路の状態を検知した結果に基づき、前記伝送路の状態を示す情報を除いた信号に対して、信号劣化補償または信号訂正を行う機能ブロックを選択して動作させるとともに、未使用の前記機能ブロックに対する電源供給を制御する使用ブロック切替ステップと、信号劣化補償及び信号訂正を行った後の信号から前記クライアント信号を復元するデマッピングステップと、復元した前記クライアント信号を出力する信号送信ステップとを有することを特徴とする。
【００１８】
本発明は、伝送路を介して信号を送信する送信装置と、前記伝送路を介して前記信号を受信して出力する受信装置とを備える伝送装置が行う伝送方法であって、クライアント信号を受信する信号受信ステップと、前記クライアント信号をフレームに収容するマッピングステップと、前記受信装置から前記伝送路の状態を検知した結果の情報を受信し、前記伝送路の状態を検知した結果の情報に基づき、前記フレームに対して、誤り訂正符号を付加するまたは信号劣化補償を行う機能ブロックを選択して動作させるとともに、未使用の前記機能ブロックに対する電源供給を制御する使用ブロック切替ステップと、前記フレームに対して前記伝送路の状態を示す情報を含めた送信すべき信号を出力するモニタ用信号付加ステップと、前記送信すべき信号を前記伝送路に送信するライン信号送信ステップと、前記伝送路からの信号を受信するライン信号受信ステップと、受信した信号から前記伝送路の状態を示す情報を抽出することにより前記伝送路の状態を検知して、前記伝送路の状態を検知した結果の情報を送信する信号モニタステップと、受信した信号に対して信号訂正を行う誤り訂正ステップと、前記信号訂正を行った後の信号から前記クライアント信号を復元するデマッピングステップと、復元した前記クライアント信号を出力する信号送信ステップとを有することを特徴とする。
【００１９】
本発明は、伝送路を介して信号を送信する送信装置と、前記伝送路を介して前記信号を受信して出力する受信装置とを備える伝送装置が行う伝送方法であって、クライアント信号を受信する信号受信ステップと、前記クライアント信号をフレームに収容するマッピングステップと、前記受信装置から前記伝送路の状態を検知した結果の情報を受信し、前記伝送路の状態を検知した結果の情報に基づき、前記フレームに対して、誤り訂正符号を付加するまたは信号劣化補償を行う機能ブロックを選択して動作させるとともに、未使用の前記機能ブロックに対する電源供給を制御する使用ブロック切替ステップと、前記フレームに対して前記伝送路の状態を示す情報を含めた送信すべき信号を出力するモニタ用信号付加ステップと、前記送信すべき信号を前記伝送路に送信するライン信号送信ステップと、前記伝送路からの信号を受信するライン信号受信ステップと、受信した信号から前記伝送路の状態を示す情報を抽出することにより前記伝送路の状態を検知して、前記伝送路の状態を検知した結果の情報を送信する信号モニタステップと、前記伝送路の状態を検知した結果に基づき、前記伝送路の状態を示す情報を除いた信号に対して、信号劣化補償または信号訂正を行う機能ブロックを選択して動作させるとともに、未使用の前記機能ブロックに対する電源供給を制御する使用ブロック切替ステップと、信号劣化補償及び信号訂正を行った後の信号から前記クライアント信号を復元するデマッピングステップと、復元した前記クライアント信号を出力する信号送信ステップとを有することを特徴とする。
【発明の効果】
【００２０】
本発明によれば、伝送路の状態に応じて適切な補償を行うことができるようになるとともに、使用しない機能ブロックに対する電源供給を制御するようにしたため、省電力化を図ることができるという効果が得られる。
【図面の簡単な説明】
【００２１】
【図１】本発明の第１実施形態による伝送装置の基本構成を示すブロック図である。
【図２】図１に示す送信装置１の詳細な構成を示すブロック図である。
【図３】図１に示す受信装置２の詳細な構成を示すブロック図である。
【図４】第２実施形態による伝送装置（送信装置１）の構成を示すブロック図である。
【図５】第２実施形態による伝送装置（受信装置２）の構成を示すブロック図である。
【図６】図４、５に示す伝送装置の動作を示す図である。
【図７】図４、５に示す伝送装置の動作を示す図である。
【図８】第３実施形態による伝送装置（送信装置１）の構成を示すブロック図である。
【図９】第３実施形態による伝送装置（受信装置２）の構成を示すブロック図である。
【図１０】閾値を用いた判定処理の動作を示す図である。
【図１１】第４実施形態による伝送装置（送信装置１）の構成を示すブロック図である。
【図１２】第４実施形態による伝送装置（受信装置２）の構成を示すブロック図である。
【図１３】第５実施形態による伝送装置（送信装置１）の構成を示すブロック図である。
【図１４】第５実施形態による伝送装置（受信装置２）の構成を示すブロック図である。
【図１５】第５実施形態の変形例の伝送装置（送信装置１）の構成を示すブロック図である。
【図１６】第５実施形態の変形例の伝送装置（受信装置２）の構成を示すブロック図である。
【図１７】第６実施形態による伝送装置（送信装置１）の構成を示すブロック図である。
【図１８】第６実施形態による伝送装置（受信装置２）の構成を示すブロック図である。
【図１９】第６実施形態の変形例の伝送装置（送信装置１）の構成を示すブロック図である。
【図２０】第６実施形態の変形例の伝送装置（受信装置２）の構成を示すブロック図である。
【図２１】従来技術による１００Ｇ伝送装置の構成を示すブロック図である。
【発明を実施するための形態】
【００２２】
＜第１実施形態＞
以下、図面を参照して、本発明の第１実施形態による伝送装置を説明する。図１は本発明の第１実施形態による伝送装置の基本構成を示すブロック図である。伝送装置は、送信装置１と受信装置２とから構成する。送信装置１は、クライアント信号を符号化して伝送路３を介して、受信装置２へ送信する。受信装置２は、伝送路３を介して符号化されたクライアント信号を受信し、復号してクライアント信号を復元して出力する。
【００２３】
図２は、図１に示す送信装置１の詳細な構成を示すブロック図である。送信装置１は、信号受信部１０１、マッピング部１０２、訂正用情報付加部１０６、モニタ用信号付加部１０７、ライン信号送信部１０５を備える。図３は、図１に示す受信装置２の詳細な構成を示すブロック図である。受信装置２は、ライン信号受信部２０１、デマッピング部２０５、信号送信部２０６、複数の信号劣化補償部２０７、複数の信号訂正部２０８、電源制御部２０９、信号モニタ部２１０、使用ブロック切替部２１１、信号品質設定部２１２を備える。
【００２４】
送信装置１は、入力されたクライアント信号を転送する際、モニタ用信号付加部１０７で伝送路３をモニタするための伝送路状態に関する情報を含めて、受信装置２に対して送信する。伝送路状態に関する情報を含める方法としては、トランスポートフレーム中に含めてもよいし、パイロットトーンやパイロットシンボルのようにトランスポートフレームの外に伝送路推定用の信号を付加し、受信側で推定するといった方法にしてもよい。
【００２５】
送信装置１からの信号を受け取った受信装置２は、送信装置１で付加された伝送路状態に関する情報を検知し、使用ブロック切替部２１１で、伝送路状態に応じて信号劣化補償部２０７による信号劣化補償と、信号訂正部２０８による信号訂正を行う使用ブロック群を選定し、自動に切替することで伝送路状態に応じた機能ブロックを使用ブロック群として使用する。本実施形態の特徴として、受信装置２、または送信装置１、または受信装置２と送信装置１の両方に、劣化補償や誤り訂正のレンジといった性能が異なる機能ブロックを持つものとする。
【００２６】
過剰な補償や訂正を行わず、伝送路３に応じた適応的な信号補償、訂正のための機能ブロックを選択することにより、適応的なデジタル信号処理を行い、使用していない機能ブロックへの電力供給を調整することで、低消費電力を実現する。
【００２７】
なお、送信装置１で付加したモニタ用信号を、信号モニタ部２１０へ送るタイミングは、ライン信号受信部２０１と信号劣化補償部２０７の間に代えて、信号劣化補償部２０７と信号訂正部２０８との間や、信号訂正部２０８とデマッピング部２０５の間であってもよい。
【００２８】
＜第２実施形態＞
次に、本発明の第２実施形態による伝送装置を説明する。図４、５は、第２実施形態による伝送装置（送信装置１（図４）と受信装置２（図５））の構成を示すブロック図である。第２実施形態は、受信装置２に使用ブロック群Ｂを備えており、受信装置２において信号劣化補償と誤り訂正を行う場合に適している。
【００２９】
送信装置１は、信号受信部１０１、マッピング部１０２、ＦＥＣエンコード部１０３、トレーニング信号付加部１０４、ライン信号送信部１０５を備える。信号受信部１０１は、複数のクライアント信号を受信する。マッピング部１０２は、クライアント信号をトランスポート用のフレームにマッピングする。ＦＥＣエンコード部１０３は、マッピング部１０２から出力されたフレームに誤り訂正符号を付加する。トレーニング信号付加部１０４は、ＦＥＣエンコード部１０３から出力された信号に伝送路状態を測定するための信号を付加する。ライン信号送信部１０５は、信号を電気／光変換し、伝送路３へ出力する。
【００３０】
受信装置２は、ライン信号受信部２０１、デマッピング部２０５、信号送信部２０６、電源制御部２０９、信号モニタ部２１０、使用ブロック切替部２１１、信号品質設定部２１２、複数の波長分散補償部２１３、複数のＰＭＤ補償部２１４、複数のＦＥＣデコード部２１５を備える。ライン信号受信部２０１は、伝送路３からの信号を受信する。信号モニタ部２１０は、受信した信号のトレーニング信号等を監視することで伝送路状態を検知する。使用ブロック切替部２１１は、信号モニタ部２１０から出力された伝送路状態を表す信号を受信し、信号劣化補償や信号訂正を行う機能ブロックを選択し、使用ブロック群Ｂを自動的に切り替える。
【００３１】
電源制御部２０９は、使用ブロック群Ｂを構成する複数の機能ブロック（信号劣化補償部、信号訂正部）に対する電力供給を制御しており、使用する機能ブロックに電力を供給し、使用しない機能ブロックには電力供給を停止する。信号劣化を補償するものとして、切替可能な複数の波長分散補償部２１３と、複数のＰＭＤ補償部２１４を備える。信号訂正を行うものとして、複数のＦＥＣデコード部２１５を備える。使用ブロック群Ｂは、電源制御部２０９、波長分散補償部２１３、ＰＭＤ補償部２１４、ＦＥＣデコード部２１５からなる。デマッピング部２０５は、処理された信号からトランスポート用のフレームを復元し、トランスポート用のフレームからクライアント信号を復元する。信号送信部２０６は、復元したクライアント信号を出力する。
【００３２】
第２実施形態の送信装置１では、図２に示すモニタ用信号付加部１０７として、トレーニング信号付加部１０４を、また、図２に示す訂正用情報付加部１０６として、ＦＥＣエンコード部１０３を備える。受信装置２では、信号劣化補償部の機能ブロックとして、４つの波長分散補償部２１３−１〜４と３つのＰＭＤ補償部２１４−１〜３を、信号訂正部として３つのＦＥＣデコード部２１５−１〜３を備える。
【００３３】
波長分散補償部２１３−１は、±５０００ｐｓ／ｎｍ、波長分散補償部２１３−２は、±１００００ｐｓ／ｎｍ、波長分散補償部２１３１−３は、±２００００ｐｓ／ｎｍ、波長分散補償部２１３−４は、±５００００ｐｓ／ｎｍの分散補償が可能な機能ブロックとする。ＰＭＤ補償部２１４−１は、ＤＧＤ（Differential Group Delay）  １０ｐｓ、ＰＭＤ補償部２１４−２は、ＤＧＤ  ２０ｐｓ、ＰＭＤ補償部２１４−３は、ＤＧＤ  ４０ｐｓの分散補償が可能な機能ブロックとする。また、例えば、信号劣化補償部の機能ブロック内にあるデジタルフィルタのタップ数を基準として、性能が異なる機能ブロックとしてもよい。
【００３４】
ＦＥＣデコード部２１５−１〜３は、繰り返し（イタレーション）回数によりブロックが分かれており、ＦＥＣデコード部２１５１−１は、繰り返し回数２回、ＦＥＣデコード部２１５−２は繰り返し回数４回、ＦＥＣデコード部２１５−３は繰り返し回数８回の復号を行うことを特徴とする信号の誤り訂正が可能な機能ブロックとする。信号訂正部の機能ブロックは、例えば、イタレーション回数、ＮＣＧ（Net Coding Gain）や、ＢＣＨ符号やＲＳ符号といった符号等を基準として、性能が異なる機能ブロックとしてもよい。
【００３５】
図４、５を参照して、第２実施形態による伝送装置の動作を説明する。送信装置１の信号受信部１０１は、クライアント信号（１００ＧＥ）を受信し、このクライアント信号をマッピング部１０２へ送る。マッピング部１０２では、クライアント信号を、ペイロード領域にマッピングし、さらに転送用のオーバーヘッドと誤り訂正符号を付加して、ＯＴＵ４の信号にした後に、ＦＥＣエンコード部１０３に送る。
【００３６】
ＦＥＣエンコード部１０３は、ＯＴＵ４に伝送路用の誤り訂正符号を付加し、トレーニング信号付加部１０４に送る。トレーニング信号付加部１０４は、ＯＴＵ４信号に対して、伝送路３の状態を推定するためのパイロットトーンやパイロットシンボル等のトレーニング信号を付加し、ライン信号送信部１０５へ送る。ライン信号送信部１０５は、受信した信号を電気／光変換し、伝送路３を介して、受信装置２へ信号を送る。
【００３７】
受信装置２のライン信号受信部２０１は、送信装置１からの信号を受信し、トレーニング信号は信号モニタ部２１０に送られ、トレーニング信号以外の信号は、使用ブロック群Ｂへ送られる。ここで、トレーニング信号を信号モニタ部２１０に送るタイミングは、任意のタイミングで行えばよく、例えば、波長分散補償部２１３とＰＭＤ補償部２１４における信号処理が終わった後、つまり信号劣化補償部と信号訂正部との間（ＰＭＤ補償部２１４とＦＥＣデコード部２１５との間）でもよい。信号モニタ部２１０は、トレーニング信号から伝送路３の状態を検知し、その結果となる情報を使用ブロック切替部２１１に送る。
【００３８】
図６、７は、図４、５に示す伝送装置の動作を示す図である。図６、７において、図４、５に示す伝送装置と同一の部分には同一の符号を付し、その説明を省略する。図６、７において、動作を説明するための構成のみが図示されており、図４、５に示す構成が一部省略されている。信号モニタ部２１０は、トレーニング信号から伝送路３の状態を検知し、その検知結果を使用ブロック切替部２１１へ送り、使用ブロック切替部２１１は、検知結果に基づいて、波長分散補償部２１３−１、ＰＭＤ補償部２１４−２、ＦＥＣデコード部２１５−３を選択して自動切替する。図７に示すように、ここでは波長分散補償部２１３−１、ＰＭＤ補償部２１４−２、ＦＥＣデコード部２１５−３が選択され（斜線部分）、自動切替されたものとする。このとき、使用ブロック群Ｂ内の選択されなかった機能ブロック（斜線以外の部分）には電源が供給されないため、消費電力を低く抑えることができる。
【００３９】
波長分散補償部２１３−１では、ライン信号受信部２０１から出力したトレーニング信号以外の信号に対し、伝送路３で累積した波長分散による信号の歪みを補償し、ＰＭＤ補償部２１４−２に送る。ＰＭＤ補償部２１４−２では、信号に対し、伝送路３で累積した偏波モード分散による信号の歪みを補償し、ＦＥＣデコード部２１５−３へ送る。ＦＥＣデコード部２１５−３では、繰り返し回数８回の復号を行う誤り訂正を用いて信号を訂正し、デマッピング部２０５へ送る。デマッピング部２０５では、ＯＴＵ４のペイロード領域からクライアント信号を復元し、信号送信部２０６へ送る。信号送信部２０６は、復元したクライアント信号を出力する。
【００４０】
＜第３実施形態＞
次に、本発明の第３実施形態による伝送装置を説明する。図８、９は、第３実施形態による伝送装置（送信装置１（図８）と受信装置２（図９））の構成を示すブロック図である。図８、９において、図４、５に示す伝送装置と同一の部分には同一の符号を付し、その説明を省略する。図８、９に示す伝送装置が図４、５に示す伝送装置と異なる点は、送信装置１において、トレーニング信号付加部１０４が省略されている点と、受信装置２において、波長分散補償部２１３とＰＭＤ補償部２１４が省略されている点である。また、第３実施形態の伝送装置では、伝送路３の状態を検知する方法が異なる。
【００４１】
第３実施形態の方法では、フレーム内のオーバーヘッド、ペイロード、もしくは誤り訂正領域から伝送路３の状態を示す情報を取得する。伝送路３の状態を示す情報をデマッピング部２０５で取得し、信号モニタ部２１０への入力とする。伝送路３の状態を検知する方法は、上記のようにトレーニング信号を用いてもよいし、デマッピング部２０５からの情報を用いてもよいし、トレーニング信号とデマッピングからの情報の両方を用いてもよい。使用ブロック切替部２１１は、信号モニタ部２１０から受信した情報をもとに、使用ブロック群Ｂに含まれる波長分散補償部、ＰＭＤ補償部、ＦＥＣデコード部のブロックから使用ブロックを選択し、自動切替する。このとき、伝送路３の状態（例えば、信号誤り率）を検知し、この結果に基づき、ＦＥＣデコード部２１５−２（斜線部分）に自動切替する。
【００４２】
どの機能ブロックを選択するかは、一つ以上の閾値を用いた判定により選択する。図１０は、閾値を用いた判定処理の動作を示す図である。判定を行うとき、信号品質設定部２１２から送られてくるサービス毎の要求を考慮してもよい。サービス毎の要求を考慮すると、例えば、要求が、ビット誤りを完全に訂正できなくてもよいので、レイテンシを向上したいというものであれば、閾値判定により判定された機能ブロックより１段階訂正能力の低い機能ブロックを選択し、レイテンシを少なくする機能ブロックを選択してもよい。また、要求が、ビット誤りを許さないというものであれば、信号劣化補償時に、閾値判定により判定された機能ブロックより１段階補償能力が高い機能ブロックを選択し、マージンを大きくとれる機能ブロックを選択してもよい。
【００４３】
また、図１０に示すように、ＤＧＤの値が、閾値を短時間で何度も跨ぐ場合、機能ブロックを頻繁に切り替えしないために、保護時間を設けてもよい。上記により、自動的に伝送路３の状況を検知し、機能ブロック（例えば、ＰＭＤ補償部２１４−１〜３）を自動切替することが可能となる。使用ブロック切替部２１１は、機能ブロックの切替情報を電源制御部２０９に送る。電源制御部２０９は、機能ブロックに電源を供給する。更に、未使用ブロックについては、電源供給を停止し、パワーオフすることにより、低消費電力にする。また、未使用ブロックに対して、電源供給を完全に停止すると、ブロック中のメモリ内にある設定データが失われてしまうため、設定データを保持できるレベルの電力を供給してもよい。
【００４４】
＜第４実施形態＞
次に、本発明の第４実施形態による伝送装置を説明する。図１１、１２は、第４実施形態による伝送装置（送信装置１（図１１）と受信装置２（図１２））の構成を示すブロック図である。図１１、１２において、図８、９に示す伝送装置と同一の部分には同一の符号を付し、その説明を省略または簡単に行う。第４実施形態は、使用ブロック群が信号劣化補償部だけでよい場合に適する。例えば、近距離の通信で信号の誤りが少なく、レイテンシを向上させるために、信号訂正部をバイパスする、もしくは使用ブロック群Ｂに信号訂正部を具備しない場合となる。なお、使用ブロック群Ｂとして、信号訂正部のみを具備してもよい。
【００４５】
送信装置１は、複数のクライアント信号を受信する信号受信部１０１、クライアント信号をトランスポート用のフレームにマッピングするマッピング部１０２、マッピング部１０２から出力された信号に伝送路状態を測定するためのトレーニング信号を付加するトレーニング信号付加部１０４、信号を電気／光変換し、伝送路へ出力するライン信号送信部１０５を備える。
【００４６】
受信装置２は、伝送路３からの信号を受信するライン信号受信部２０１、受信した信号のトレーニング信号等を監視することで伝送路状態を検知する信号モニタ部２１０、信号モニタ部２１０から出力された伝送路状態を表す信号を受信し、信号劣化補償を行う機能ブロックを選択し、自動的に切り替える使用ブロック切替部２１１を備える。また、受信装置２は、信号劣化補償部として、切替可能な複数の波長分散補償部のみを具備する使用ブロック群Ｂ、使用ブロック群Ｂで処理された信号からトランスポート用のフレームを復元し、トランスポート用のフレームからクライアント信号を復元するデマッピング部２０５、復元したクライアント信号を出力する信号送信部２０６を備える。
【００４７】
第４実施形態では、送信装置１からの信号を受信し、信号モニタ部２１０で伝送路３の状態を検知し、使用ブロック切替部２１１で使用するブロックを選択し、自動的に切り替える機能までは第２実施形態と同様となる。ただし、使用ブロック群Ｂ内に備える機能ブロックが、第２実施形態では、信号劣化補償部と信号訂正部の両方であったのに対し、第４実施形態では、信号劣化補償部（波長分散補償部２１３−１〜４）のみとなる部分が異なる。また、使用ブロック群Ｂに備える機能ブロックは、信号訂正部のみとしてもよい。使用ブロック群Ｂで処理された信号は、第２実施形態と同様に処理され、受信装置２から出力する。
【００４８】
＜第５実施形態＞
次に、本発明の第５実施形態による伝送装置を説明する。図１３、１４は、第５実施形態による伝送装置（送信装置１（図１３）と受信装置２（図１４））の構成を示すブロック図である。第５実施形態では、送信装置１側に、使用ブロック群Ｂを備えており、伝送前に信号劣化補償を行うことで、受信装置２側の処理負荷を軽くしたい場合に適する。
【００４９】
送信装置１は、信号受信部１０１、マッピング１０２、複数の信号符号化部１１０、複数の信号劣化補償部１１１、モニタ用信号付加部１０７、ライン信号送信部１０５、使用ブロック切替部１１２を備える。複数の信号符号化部１１０と複数の信号劣化補償部１１１は、使用ブロック群Ｂを構成し、使用ブロック切替部１１２によって機能ブロックの切り替えが行われる。モニタ用信号付加部１０７を挿入する位置は、マッピング部１０２と信号符号化部１１０との間、信号符号化部１１０と信号劣化補償部１１１との間、信号劣化補償部１１１とライン信号送信部１０５との間のいずれでもよい。
【００５０】
受信装置２は、ライン信号受信部２０１、訂正用情報復号部２１６、デマッピング部２０５、信号送信部２０６、信号モニタ部２１０を備える。信号モニタ部２１０は、ライン信号受信部２０１の出力信号から伝送路３の状態を示す情報を検出し、この検出結果を送信装置１へ送信する。
【００５１】
次に、本発明の第５実施形態の変形例を説明する。図１５、図１６は、第５実施形態の変形例の伝送装置（送信装置１（図１５）、受信装置２（図１６））の構成を示すブロック図である。図１５に示す送信装置１側に、使用ブロック群Ｂを備えており、伝送前に信号劣化補償を行うことで、受信装置２側の処理負荷を軽くしたい場合に適する。
【００５２】
送信装置１は、複数のクライアント信号を受信する信号受信部１０１、クライアント信号をトランスポート用のフレームにマッピングするマッピング部１０２、マッピング部１０２から出力されたフレームに誤り訂正符号を付加するＦＥＣエンコード部１０３を備える。また、受信装置２側から送られてきた伝送路状態に関する情報から使用ブロック群Ｂの機能ブロックを選択し、自動切替する使用ブロック切替部１１２、ＦＥＣエンコード部１０３から出力した信号に対し、伝送路３の波長分散による歪みを補償する機能を持った複数の波長分散補償部１１３−１〜４を備える使用ブロック群Ｂ、伝送路状態を測定するための信号を付加するトレーニング信号付加部１０４、信号を伝送路３へ出力するライン信号送信部１０５を備える。
【００５３】
受信装置２は、伝送路３からの信号を受信するライン信号受信部２０１、受信した信号のトレーニング信号等を監視することで伝送路状態を検知する信号モニタ部２１０、受信した信号に対し誤り訂正を行うＦＥＣデコード部２１５を備える。また、ＦＥＣデコード部２１５から出力した信号からトランスポート用のフレームを復元し、トランスポート用のフレームからクライアント信号を復元するデマッピング部２０５、復元したクライアント信号を出力する信号送信部２０６を備える。
【００５４】
図１５に示すように、送信装置１の使用ブロック群Ｂには、波長分散補償部１１３−１〜４を備える。この波長分散補償部１１３−１〜４では、信号を伝送路３へ出力する前に、伝送路３の状態に応じて、波長分散による歪みを補償するように、例えば、予めプリディストーションを行う。例えば、波長分散補償部１１３−１は、±５０００ｐｓ／ｎｍ、波長分散補償部１１３−２は、±１００００ｐｓ／ｎｍ、波長分散補償部１１３−３は、±２００００ｐｓ／ｎｍ、波長分散補償部１１３−４は、±５００００ｐｓ／ｎｍのプリディストーションが可能な機能ブロックである。
【００５５】
次に、図１５、１６を参照して動作を説明する。送信装置１の信号受信部１０１は、クライアント信号（１００ＧＥ）を受信し、クライアント信号をマッピング部１０２へ送る。マッピング部１０２は、クライアント信号を、ペイロード領域にマッピングし、さらに転送用のオーバーヘッドと誤り訂正符号を付加して、ＯＴＵ４の信号にした後に、ＦＥＣエンコード部１０３に送る。ＦＥＣエンコード部１０３は、ＯＴＵ４に伝送路用の誤り訂正符号を付加し、トレーニング信号付加部１０４へ送る。トレーニング信号付加部１０４がトレーニング信号を付加するタイミングは、任意のタイミングでよい。
【００５６】
トレーニング信号付加部１０４で伝送路３の状態を測定するための信号を付加した信号を、使用ブロック群Ｂに送る。受信装置２から転送した伝送路３の状態を示す信号を受信した使用ブロック切替部１１２は、信号劣化や信号の誤りを補償するために使用する機能ブロックを使用ブロック群Ｂの中から選択し、自動切替する。
【００５７】
そして、未使用ブロックはパワーオフすることで低消費電力にする。使用ブロック群Ｂでは、選択した波長分散補償部１１３−２で信号を処理し、プリディストーションした信号をライン信号送信部１０５へ送る。ライン信号送信部１０５は、受信した信号を電気／光変換し、伝送路３を通して、受信装置２へ信号を送る。
【００５８】
受信装置２のライン信号受信部２０１で、送信装置１側からの信号を受信し、トレーニング信号は信号モニタ部２１０に送られ、トレーニング信号以外の信号は、ＦＥＣデコード部２０４へ送られる。信号モニタ部２１０では、トレーニング信号から伝送路３の状態を検知し、その結果となる情報を送信装置１の使用ブロック切替部１１２へ送る。
【００５９】
受信装置２側から送信装置１側へ情報を送る方法としては、具体的には、受信側から送信側へ転送するＯＴＵ４のオーバーヘッド領域やペイロード領域に含めてもよいし、アウトバンド(例えば、OSC: Optical Supervisory Channel)を用いて転送してもよい。ＦＥＣデコード部２０４では、信号の誤りを訂正し、デマッピング部２０５へ信号を出力する。デマッピング部２０５では、ＯＴＵ４のペイロード領域からクライアント信号を復元し、信号送信部２０６へ送る。信号送信部２０６は、復元したクライアント信号を出力する。
【００６０】
＜第６実施形態＞
次に、本発明の第６実施形態による伝送装置を説明する。図１７、１８は、第６実施形態による伝送装置（送信装置１（図１７）と受信装置２（図１８））の構成を示すブロック図である。第６実施形態では、送信装置１側、受信装置２側の両方に使用ブロック群Ｂ、Ｃを備えており、伝送の前後に信号処理を行うことで、より適応的に信号劣化補償や誤り訂正を行うことができるものである。
【００６１】
図１７に示す送信装置１は、図１３に示す送信装置１と同様であるため、ここでは詳細な説明を省略する。また、図１８に示す受信装置２は、図３に示す受信装置２と同様の構成であるため、ここでは、詳細な説明を省略する。ただし、信号モニタ部２１０が、信号の検知結果を送信装置１にも送信する点が異なる。
【００６２】
次に、本発明の第６実施形態の変形例を説明する。図１９、図２０は、第６実施形態の変形例の伝送装置（送信装置１（図１９）、受信装置２（図２０））の構成を示すブロック図である。この変形例においても送信装置１側、受信装置２側の両方に使用ブロック群を備えており、伝送の前後に信号処理を行うことで、より適応的に信号劣化補償や誤り訂正を行うことができるものである。
【００６３】
図１９に示す送信装置１は、図１５に示す送信装置１と同様あるため、ここでは詳細な説明を省略する。また、図２０に示す受信装置２は、図７示す受信装置２と同様の構成であるため、ここでは詳細な説明を省略する。ただし、図２０に示す受信装置２は、信号モニタ部２１０が、信号の検知結果を送信装置１にも送信する点が異なる。また、使用ブロック群Ｂ内にＰＭＤ補償部２１４を備えていない。
【００６４】
＜第７実施形態＞
第７実施形態は、トランスポートフレームを前提としない場合の伝送装置であり、トランスポートフレームを必要としない近距離の転送に適する。例えば、図４、５に示す第２実施形態の送信装置１において、信号受信部１０１でクライアント信号を受信した後、トレーニング信号付加部１０４に送る。トレーニング信号は、例えば、一定間隔でクライアント信号に付加する。トレーニング信号を付加した信号をライン信号送信部１０５から伝送路３へ出力する。
【００６５】
受信装置２のライン信号受信部２０１では、伝送路３からライン信号を受信する。受信したライン信号において、トレーニング信号は信号モニタ部２１０へ送り、それ以外のデータは、使用ブロック群Ｂに送る。ここで、トレーニング信号を検出するために、例えば、ライン信号と受信装置２が持つトレーニング信号の既知固定パターンを比較する。第２実施形態と同様に、信号モニタ部２１０ではトレーニング信号から伝送路状態を検知し、検知した情報を使用ブロック切替部２１１に送る。使用ブロック切替部２１１では、信号劣化補償に使用する機能ブロックを判定し、選択する。
【００６６】
未使用の機能ブロックはパワーオフする。使用ブロック群Ｂに送られたデータは、波長分散補償部２１３−１〜４、ＰＭＤ補償部２１４−１〜３で信号劣化補償された後に、信号送信部２０６へ送られる。信号送信部２０６はクライアント信号を出力する。
【００６７】
＜第８実施形態＞
第８実施形態は、使用ブロック群において、誤り検出はするが、誤り訂正はしない伝送装置であり、例えば、データの欠落が許容できる通信や、再送要求を出すことができる通信に適している。
【００６８】
第８実施形態は、図９に示す受信装置２の構成において、使用ブロック群中のＦＥＣデコード部２１５−１〜３の処理は行わずに、バイパスし、デマッピング部２０５において、例えばＯＴＵオーバーヘッドのＢＩＰ−８の値から誤りを検出する。受信装置２のライン信号受信部２０１から出力された信号は、デマッピング部２０５に送る。デマッピング部２０５でクライアント信号を復元し、信号送信部２０６へ送る。信号送信部２０６はクライアント信号を出力する。
【００６９】
以上説明したように、従来、使用ブロックの設定は、オペレータが伝送路状態を示す情報を受け、マニュアルで行っていたため、過剰な補償を行ってしまう場合があった。本実施形態では、自動で伝送路の状態に応じた補償処理を行うことにより、マニュアル設定なしで、伝送路状態に応じた必要十分な補償量、訂正能力を持つ機能ブロックを使用できるようになる。また、使用しない機能ブロックに対して電源供給を制御するようにしたため、消費電力を削減することができる。特に、従来は伝送路状態を推定するために使われていたトレーニング信号から得られる情報を、使用する機能ブロックを切り替える情報とすることで、波長分散補償や偏波モード分散補償を行う機能ブロックに対して、低消費電力化することができる。
【００７０】
以上、図面を参照して本発明の実施の形態を説明してきたが、上記実施の形態は本発明の例示に過ぎず、本発明が上記実施の形態に限定されるものではないことは明らかである。したがって、本発明の技術思想及び範囲を逸脱しない範囲で構成要素の追加、省略、置換、その他の変更を行ってもよい。
【産業上の利用可能性】
【００７１】
伝送路の状態に応じて適切な補償を行うことができるようになるとともに、使用しない機能ブロックに対する電源供給を制御するようにしたため、省電力化を図ることが不可欠な用途に適用できる。
【符号の説明】
【００７２】
１・・・送信装置、２・・・受信装置、３・・・伝送路、１０１・・・信号受信部、１０２・・・マッピング部、１０３・・・ＦＥＣエンコード部、１０４・・・トレーニング信号付加部、１０５・・・ライン信号送信部、１０７・・・モニタ用信号付加部、１１０・・・信号符号化部、１１１・・・信号劣化補償部、１１２・・・使用ブロック切替部、１１３−１〜４・・・波長分散補償部、２０１・・・ライン信号受信部、２０２・・・波長分散補償部、２０３・・・ＰＭＤ補償部、２０４・・・ＦＥＣデコード部、２０５・・・デマッピング部、２０６・・・信号送信部、２０７・・・信号劣化補償部、２０８・・・信号訂正部、２０９・・・電源制御部、２１０・・・信号モニタ部、２１１・・・使用ブロック切替部、２１２・・・信号品質設定部、２１３−１〜４・・・波長分散補償部、２１４−１〜３・・・ＰＭＤ補償部、２１５−１〜３・・・ＦＥＣデコード部
【図１】
2016032206.tif 000003
【図２】
2016032206.tif 000004
【図３】
2016032206.tif 000005
【図４】
2016032206.tif 000006
【図５】
2016032206.tif 000007
【図６】
2016032206.tif 000008
【図７】
2016032206.tif 000009
【図８】
2016032206.tif 000010
【図９】
2016032206.tif 000011
【図１０】
2016032206.tif 000012
【図１１】
2016032206.tif 000013
【図１２】
2016032206.tif 000014
【図１３】
2016032206.tif 000015
【図１４】
2016032206.tif 000016
【図１５】
2016032206.tif 000017
【図１６】
2016032206.tif 000018
【図１７】
2016032206.tif 000019
【図１８】
2016032206.tif 000020
【図１９】
2016032206.tif 000021
【図２０】
2016032206.tif 000022
【図２１】
2016032206.tif 000023